(57)【要約】  複数の外側表面を備える本体と、本体の少なくとも一部分を通って延伸し、少なくとも１つの位置決め部材を少なくともその一部を通して受けるように構成された少なくとも１つの受け孔と、本体の外側表面に沿って延伸し、少なくとも１つの位置決め部材の一部分と相互に作用して、少なくとも２つの構造ユニットを互いに位置合わせするように構成された少なくとも１つの位置合わせ用の溝とを備える構造ユニット。この構造ユニット及び上記の少なくとも１つの位置決めユニットは、同じ材料で構成される。複数の構造ユニットを、入れ子状や壁面に形成することもできる。
2015527512.tif 000002
【特許請求の範囲】
【請求項１】
構造ユニットであって、
複数の外側表面を備える本体と、
当該本体の少なくとも一部分に設けられた少なくとも１つの受け止め配列と、
当該本体に接続された少なくとも１つの位置決め部材とを備え、
少なくとも１つの当該位置決め部材は当該本体から分離可能であり、少なくとも１つの当該受け止め配列と相互に作用するように構成された構造ユニット。
【請求項２】
少なくとも前記１つの受け止め配列が、
前記本体の少なくとも一部分を通って延伸する少なくとも１つの受け孔と、
当該本体の外側表面に沿って延伸する少なくとも１つの位置合わせ用の溝とを備え、
少なくとも１つの前記位置決め部材の少なくとも一部分が、少なくとも１つの当該受け孔に挿入される構成を備える、請求項１に記載の構造ユニット。
【請求項３】
前記本体及び少なくとも１つの前記位置決め部材が、同じ材料で構成される、請求項１に記載の構造ユニット。
【請求項４】
少なくとも１つの前記位置合わせ用の溝が、少なくとも１つの前記位置決め部材の一部分と相互に作用して、少なくとも２つの前期構造ユニットを互いに位置合わせするように構成される、請求項２に記載の構造ユニット。
【請求項５】
少なくとも１つの前記受け孔は長手方向スロット及び横手方向スロットが交差して形成される実質的に十字型の断面を有しており、実質的に角形の位置決め部材を当該長手方向スロット又は当該横手方向スロットのいずれか一方に通して受ける、請求項２に記載の構造ユニット。
【請求項６】
少なくとも１つの前記受け孔は実質的に円形の断面を有し、少なくとも１つの前記位置決め部材は、少なくとも１つの当該受け孔の当該実質的に円形の断面に挿入されるように構成されたが円柱である、請求項２に記載の構造ユニット。
【請求項７】
少なくとも１つの前記受け孔は半円形部分と当該半円形部分の直径から延伸するスロット部分とを含む実質的にきのこ型の断面を備える、請求項２に記載の構造ユニット。
【請求項８】
少なくとも１つの前記受け孔が、少なくとも１つの前記位置決め部材を前記半円形部分の直径と平行に挿入したときに、上の列の隣接するブロックが実質的に垂直方向に配置されてこのブロックの前面が上の列の隣接するブロックの前面と実質的に面一になり、少なくとも１つの当該位置決め部材が当該半円形部分の直径に直交するように挿入されたとき前記上の列の隣接するブロックが段形後退方向になるように構成される、請求項６に記載の構造ユニット。
【請求項９】
複数の構造ユニットが複数の列を形成するように配置され、複数の列の構造ユニットが互いに上下に積み重ねられて壁面を形成する、請求項１に記載の構造ユニット。
【請求項１０】
第２の列の上に積み重ねられる第１の列が、当該第２の列より段形後退することにより傾斜した壁面を形成する、請求項９に記載の構造ユニット。
【請求項１１】
擁壁用ブロックであって、
複数の外側表面を備える本体と、
当該本体の少なくとも一部分に設けられた少なくとも１つの受け止め配列と、
当該本体に接続された少なくとも１つの位置決め部材とを備え、
少なくとも１つの当該位置決め部材は当該本体から分離可能であって、少なくとも１つの当該受け止め配列及び第２の擁壁用ブロックの少なくとも一部分と相互に作用して、当該擁壁用ブロックを当該第２の擁壁用ブロックに対して位置決めするように構成される、擁壁用ブロック。
【請求項１２】
前記本体及び少なくとも１つの前記位置決め部材が、同じ材料で構成される、請求項１１に記載の擁壁用ブロック。
【請求項１３】
少なくとも１つの前記受け止め配列が、
前記本体の少なくともある部分を通って延伸する少なくとも１つの受け孔と、
当該本体の外側表面に沿って延伸する少なくとも１つの位置合わせ用の溝とを備え、
少なくとも１つの前記位置決め部材が、少なくとも１つの当該位置決め部材の下側部分が当該本体の底部表面を超えて延伸するように、少なくとも１つの当該受け孔に少なくとも部分的に挿入されるように構成される、請求項１１に記載の擁壁用ブロック。
【請求項１４】
少なくとも１つの前記受け孔は長手方向スロット及び横手方向スロットが交差して形成される実質的に十字型の断面を有しており、実質的に角形の前記位置決め部材を当該長手方向スロット又は当該横手方向スロットのいずれか一方に通して受ける、請求項１３に記載の擁壁用ブロック。
【請求項１５】
少なくとも１つの前記受け孔は実質的に円形の断面を有し、少なくとも１つの前記位置決め部材は、少なくとも１つの当該受け孔の当該実質的に円形の断面に挿入されるように構成された円柱である、請求項１３に記載の擁壁用ブロック。
【請求項１６】
少なくとも１つの前記受け孔は、半円形部分と当該半円形部分の直径から延伸するスロット部分とを含む実質的にきのこ型の断面を備える、請求項１３に記載の擁壁用ブロック。
【請求項１７】
少なくとも１つの前記受け孔が、少なくとも１つの前記位置決め部材を前記半円形部分の直径と平行に挿入したときに、上の列の隣接するブロックが実質的に垂直方向に配置されてこのブロックの前面が当該上の列の隣接するブロックの前面と実質的に面一になり、少なくとも１つの当該位置決め部材が当該半円形部分の当該直径に直交するように挿入されたときに、当該上の列の隣接するブロックが段形後退方向になるように構成される、請求項１５に記載の擁壁用ブロック。
【請求項１８】
複数の擁壁用ブロックが複数の列を形成するように配置され、当該複数の列の構造ユニットが互いに上下に積み重ねられて壁面を形成する、請求項１１に記載の擁壁用ブロック。
【請求項１９】
第２の列の上に積み重ねられる第１の列が、当該第２の列より段形後退することにより傾斜した壁面を形成する、請求項１７に記載の擁壁用ブロック。
【請求項２０】
少なくとも１つの面で互いに接続された２つ以上の擁壁用ブロックからなる入れ子状ユニットであって、前記２つ以上のブロックのうちの少なくとも１つが、
複数の外側表面を備える本体と、
当該本体の少なくともある部分に設けられた少なくとも１つの受け止め配列と、
当該本体に接続された少なくとも１つの位置決め部材とを備え、
少なくとも１つの当該位置決め部材が、当該本体から分離可能であり、少なくとも１つの当該受け止め配列及び隣接するブロックの少なくとも一部分と相互に作用して、当該ブロックを当該隣接するブロックに対して位置決めするように構成される、入れ子状ユニット。
【発明の詳細な説明】
【技術分野】
【０００１】
本件出願は、傾斜築堤を補強するために、例えば擁壁などの壁面に通常使用されるブロックなどの構造ユニットに関し、より詳細には、ブロックを隣接するブロックに対して配置したり位置合わせするための位置決め機構及び／又は構成を備える壁ブロックに関する。なお、本件出願は、２０１２年８月１日出願の米国仮出願第６１／６７８３３４号を参照してその全体を本明細書に組み込んだものであり、その利益を主張する。
【背景技術】
【０００２】
ブロックなどの構造ユニットは、煉瓦、石、コンクリート及びその他の材料から形成される。ブロックを何列も積み重ねて、擁壁などの壁面を形成することができる。一般に、これらのブロックは、上の列の個々のブロックを下の列のブロックに対して位置合わせ及び接続するために、一列のブロックをすぐ下に位置する一列のブロックに機械的接続部によって連結するように構成される。これらの機械的接続部は、ブロックの後面又は前面から突出ているラグやリップとする場合のように、ブロック自体に一体成型できる。機械的接続部は、ブロックを貫通する孔の上部から挿入して下のブロックに設けられた対応する受け孔や溝で受ける、分離した接続器具とすることもできる。前者の場合には、突出部やリップは、通常は、ブロックに組み込むように形成され、下の列のブロックの頂部表面や側面に載せることによってその下のブロックと接続する。リップ・システムは、通常、壁面の段形後退又は埋め込み傾斜面からの出っ張りを制限する際に用いられる。
【発明の概要】
【発明が解決しようとする課題】
【０００３】
これに対して、ピンで接続されるブロックは、隣接するブロックを配列する際の適応力がさらに大きい。例えば、これらのブロックは、受け孔の位置を変更することによって様々な段形後退角度で構成できる。擁壁用ブロックに使用されるピンは、プラスチック、ガラス繊維、鋼及び木など、様々な材料で製造することができ、通常は壁面を適切に構築するために必要な付属品として供給される。ピンは、高価であることがあり、擁壁の構築に必要な時間及び労力が増す原因となる。したがって、ピンがもつ構築の利点を提供できる、擁壁用ブロック用の接続器及び接続構成に対する要求がある。
【課題を解決するための手段】
【０００４】
一般的に、壁面構造を構築するためにブロックと合わせて利用される既存の位置決め用の配列に関する不備及び欠点の一部又は全てを処理又は克服する、位置決め部材を備えた構造ユニットを提供する。
【０００５】
したがって、限定的ではなく好ましい１つの実施形態では、壁面構造を構築するための、複数の相互接続ユニットを備えた位置決め部材を備えた構造ユニットやシステムを提供する。これらの構造ユニットは、横に並べた構成で配置され、互いに上下に積み重ねられて、壁面などの垂直な構造を形成するように構成される。このユニットは、壁面構造の上側の列が下側の列よりも奥に段形後退した、くぼみ状に構成することもできる。限定的ではなく好ましい１つの実施形態では、この壁面構造は、丘の斜面や急峻な築堤の土砂の浸食を防止するために使用することができる。この壁面には、美観目的の化粧用又は装飾用の前面或いは装飾用の湾曲など、装飾用の特徴をもたすこともできる。さらに、限定的ではなく好ましい１つの実施形態では、この構造ユニットは、棒状部材、ピン状部材、細長い部材など、一体化された位置決め部材を備える。
【０００６】
限定的ではなく好ましい１つの実施形態では、構造ユニットは、複数の外側表面を備える本体と、少なくとも１つの受け止め配列とを備える。この構造ユニットは、さらに、前記本体に接続された少なくとも１つの位置決め部材を備える。少なくとも１つの前記位置決め部材は、前記本体から分離可能であり、少なくとも１つの前記受け止め配列と相互に作用するように構成される。限定的ではなく好ましい１つの実施形態では、少なくとも１つの前記受け止め配列は、前記本体の少なくとも一部分を通って延伸する少なくとも１つの受け孔と、当該本体の外部表面に沿って延伸する少なくとも１つの位置合わせ用の溝とを備える。少なくとも１つの前記位置決め部材は、少なくとも１つの前記受け孔に挿入されるように構成される。
【０００７】
別の限定的ではなく好ましい実施形態では、少なくとも１つの前記位置合わせ用の溝は、少なくとも１つの前記位置決め部材の一部分と相互に作用して、少なくとも２つの構造ユニットを互いに位置合わせするように構成される。前記本体及び少なくとも１つの前記位置決め部材は、同じ材料で構成される。
【０００８】
別の限定的ではなく好ましい実施形態では、少なくとも１つの前記受け孔は長手方向スロット及び横手方向スロットが交差して形成される実質的に十字型の断面を有しており、実質的に角形の位置決め部材を当該長手方向スロット又は当該横手方向スロットのいずれか一方に通して受ける。或いは、少なくとも１つの前記受け孔は実質的に円形の断面を有し、少なくとも１つの前記位置決め部材は、少なくとも１つの当該受け孔の当該実質的に円形の断面に挿入されるように構成された円柱である。さらに別の実施形態では、少なくとも１つの前記受け孔は半円形部分と当該半円形部分の直径から延伸するスロット部分とを備える実質的にきのこ型の断面を備える。この実施形態では、少なくとも１つの前記受け孔が、前記少なくとも１つの位置決め部材を前記半円形部分の直径と平行に挿入したときに、上の列の隣接するブロックが実質的に垂直方向に配置されてこのブロックの前面が当該上の列の隣接するブロックの前面と実質的に面一になり、少なくとも１つの当該位置決め部材が当該半円形部分の当該直径に直交するように挿入されたときに、当該上の列の当該隣接するブロックが段形後退方向になるように構成される。
【０００９】
別の限定的ではなく好ましい実施形態では、複数の構造ユニットが複数の列を形成するように配置され、複数の列の構造ユニットが互いに上下に積み重ねられて壁面を形成する。第２の列の上に積み重ねられる第１の列が、当該第２の列より段形後退することにより傾斜した壁面を形成する。或いは、第１の列の構造ユニットの前面を、その下の第２の列の構造ユニットの前面と実質的に面一にすることにより、実質的に垂直な擁壁を形成する。
【００１０】
別の限定的ではなく好ましい実施形態では、擁壁用ブロックは複数の外側表面を備える本体と、当該本体の少なくとも一部分に設けられた少なくとも１つの受け止め配列と、当該本体に接続された少なくとも１つの位置決め部材とを備え、少なくとも１つの当該位置決め部材は当該本体から分離可能であって、少なくとも１つの当該受け止め配列及び第２の擁壁用ブロックの少なくとも一部分と相互に作用して、当該擁壁用ブロックを当該第２の擁壁用ブロックに対して位置決めするように構成される。少なくとも１つの前記受け止め配列が、前記本体の少なくともある部分を通って延伸する少なくとも１つの受け孔と、当該本体の外側表面に沿って延伸する少なくとも１つの位置合わせ用の溝とを備え、少なくとも１つの前記位置決め部材が、少なくとも１つの当該位置決め部材の下側部分が当該本体の底部表面を超えて延伸するように、少なくとも１つの当該受け孔に少なくとも部分的に挿入されるように構成される。前記本体及び少なくとも１つの前記位置決め部材は同じ材料で構成される。
【００１１】
別の限定的ではなく好ましい実施形態では、少なくとも１つの前記受け孔は長手方向スロット及び横手方向スロットが交差して形成される実質的に十字型の断面を有しており、実質的に角形の位置決め部材を当該長手方向スロット又は当該横手方向スロットのいずれか一方に通して受ける。或いは、少なくとも１つの前記受け孔は実質的に円形の断面を有し、少なくとも１つの前記位置決め部材は、少なくとも１つの当該受け孔の当該実質的に円形の断面に挿入されるように構成されたが円柱である。さらに別の代替しうる非限定的な実施形態では、少なくとも１つの前記受け孔は半円形部分と当該半円形部分の直径から延伸するスロット部分とを備える実質的にきのこ型の断面を備える。この実施形態では、少なくとも１つの前記受け孔が、少なくとも１つの前記位置決め部材を前記半円形部分の直径と平行に挿入したときに、上の列の隣接するブロックが実質的に垂直方向に配置されてこのブロックの前面が当該上の列の隣接するブロックの前面と実質的に面一になり、少なくとも１つの当該位置決め部材が当該半円形部分の当該直径に直交するように挿入されたときに、当該上の列の当該隣接するブロックが段形後退方向になるように構成される。
【００１２】
さらに別の限定的ではなく好ましい実施形態では、複数の擁壁用ブロックが複数の列を形成するように配置され、複数の列の構造ユニットが互いに上下に積み重ねられて壁面を形成する。第２の列の上に積み重ねられる第１の列が、当該第２の列より段形後退することにより傾斜した壁面を形成する。或いは、第１の列の擁壁用ブロックの前面を、その下の第２の列の擁壁用ブロックの前面と実質的に面一にすることにより、実質的に垂直な擁壁を形成する。
【００１３】
さらに別の限定的ではなく好ましい実施形態では、少なくとも１つの面で互いに接続された２つ以上の擁壁用ブロックからなる入れ子状ユニットであって、前記２つ以上のブロックのうちの少なくとも１つが、複数の外側表面を備える本体と、当該本体の少なくともある部分に設けられた少なくとも１つの受け止め配列を備える入れ子状ユニットである。少なくとも１つのブロックは、本体に接続された少なくとも１つの前記位置決め部材を備える。そして、少なくとも１つの当該位置決め部材は当該本体から分離可能であり、少なくとも１つの当該受け止め配列及び隣接するブロックの少なくとも一部分と相互に作用して、当該ブロックを当該隣接するブロックに対して位置決めするように構成される。
【００１４】
これらの方法の実施、その構造の要素に関連する様々な機能、部品の組み合わせと製造における経済性並びに上記及びその他の本発明の特徴を以下の記載と本願特許請求の範囲を考察して明確に示すため、本明細書に添付した、対応する部分を同じ参照番号で示した図面を参照する。ただし、これらの図面は、例示及び説明のみを目的としたものであり、本発明の範囲を定義することを意図するものではないことを断っておく。本明細書及び特許請求の範囲で使用する「ａ」、「ａｎ」及び「ｔｈｅ」といった単数形表記は、文脈から単数であることが明らかでない限り、複数形も含む。
【図面の簡単な説明】
【００１５】
【図１Ａ】１つの実施形態における位置決め部材を備えた構造ユニットを示す上面斜視図である。
【図１Ｂ】位置決め部材が受け孔に挿入された図１Ａの構造ユニットを示す斜視図である。
【図１Ｃ】第２の構造ユニットの上に配置され、位置決め部材が受け孔に挿入された図１Ａの構造ユニットを示す斜視図である。
【図２Ａ】別の実施形態による位置決め部材を備える構造ユニットを示す平面図である。
【図２Ｂ】図２Ａの構造ユニットを示す正面図である。
【図２Ｃ】図２Ａの構造ユニットを示す斜視図である。
【図２Ｄ】図２Ａの構造ユニットを示す側面図である。
【図３Ａ】別の実施形態による位置決め部材を備えた構造ユニットを示す平面図である。
【図３Ｂ】図３Ａの構造ユニットを示す正面図である。
【図３Ｃ】図３Ａの構造ユニットを示す斜視図である。
【図３Ｄ】図３Ａの構造ユニットを示す側面図である。
【図４Ａ】別の実施形態による位置決め部材を備えた構造ユニットを示す上面斜視図である。
【図４Ｂ】図４Ａの構造ユニットを示す斜視図である。
【図４Ｃ】図４Ａの構造ユニットを示す側面図である。
【図４Ｄ】互いに接続されて入れ子状ユニットを形成する図４Ａの２つの構造ユニットを示す平面図である。
【図４Ｅ】凸状壁面を形成するために積み重ねられた３つの図４Ａに示す構造ユニットを示す平面図である。
【図５Ａ】構造ユニットの入れ子状ユニットの別の実施形態を示す平面図である。
【図５Ｂ】構造ユニットが分割された図５Ａの入れ子状ユニットを示す平面図である。
【図６Ａ】積み重ねられて段形後退壁面を形成する３つの別の実施形態の構造ユニットを示す平面図である。
【図６Ｂ】擁壁を形成するために段形後退方向に積み重ねられた別の実施形態の構造ユニットを示す概略図である。
【図７Ａ】ほぼ垂直な壁面を形成するために積み重ねられた３つのさらに別の実施形態の構造ユニットを示す平面図である。
【図７Ｂ】ほぼ垂直な壁面を形成するために積み重ねられたさらに別の実施形態の構造ユニットを示す概略図である。
【図８】凸状壁面を形成するために積み重ねられたさらに別の実施形態の３つの構造ユニットを示す平面図である。
【図９】凸状壁面を形成するために積み重ねられた別の実施形態の３つの構造ユニットを示す平面図である。
【図１０】リターン・コーナーを形成するために積み重ねられたさらに別の実施形態の構造ユニットを示す概略図である。
【図１１】構造ユニットの入れ子状ユニットの別の実施形態を示す平面図である。
【図１２Ａ】段形後退構成で積み重ねられた３つのさらに別の実施形態の構造ユニットを示す平面図である。
【図１２Ｂ】ほぼ垂直な構成で積み重ねられた３つの図１２Ａに示すブロックを示す平面図である。
【図１２Ｃ】湾曲した壁面を形成するために積み重ねられた３つの図１２Ａに示すブロックを示す平面図である。
【発明を実施するための形態】
【００１６】
以下の記述は、当業者が本明細書に記載された実施形態を熟考又は実行できるように提供するものである。ただし、当業者であれば、様々な修正、同等、変形や代替が可能である。このような修正、同等、変形や代替の形態は全て、本発明の趣旨及び範囲に含まれるものとする。さらに、以下の記述では、「端部」、「上側」、「下側」、「右」、「左」、「垂直」、「水平」、「頂部」、「底部」、「横手方向」、「長手方向」という用語、及びそれらの派生語は、本発明における図面に示す向きに準ずる。ただし、本発明は、明確に否定されていない限り、様々な代替的な変形形態及びステップ順序を想定している。また、添付の図面及び以下の明細書に記述している具体的な装置及びプロセスは、単に本発明の例示的な実施形態に過ぎない。したがって、以下に開示する実施形態に関する具体的な寸法及びその他の物理的特徴は限定要素ではない。添付の図面及び本発明の好ましい実施形態の記述は、本発明の理解を容易にするために示されており、これらによって本発明、本発明の構造、構成及び動作方法の様々な実施形態、並びに多くの利点を理解し、評価することができる。
【００１７】
以下に述べるように、本発明は、単に「ブロック」と称する構造ユニットを対象とする。なお、この「ブロック」という単語は、壁面、擁壁、基礎、建築物及び／又は任意の種類の構造を含む（ただしこれらに限定されない）垂直な構造を構築する際に使用することができる任意の種類の構造ユニットを含むことを断っておく。ブロック（単独及び／又はその他のブロックとの組み合わせ）の様々な実施形態を、図１Ａから図１２Ｃに示し、説明する。
【００１８】
図１Ａから図４Ｃに、限定的ではなく好ましい１つの実施形態による位置決め部材１２を備えたブロック１０を示す。位置決め部材１２は、棒、ピン、細長い部材など（ただしこれらに限定されない）、様々な形状及び形態をとることができる。限定的ではなく好ましい１つの実施形態では、位置決め部材１２は、位置決め棒１２（以下ではこれを使用する）の形状であり、別の限定的ではなく好ましい実施形態では、位置決め棒１２は、ブロック１０と一体化されるか、又はブロック１０と合体している。さらに、この限定的ではなく好ましい実施形態では、ブロック１０は、前面１６と、後面１８と、平行に対向する平坦な頂部表面２０と底部表面２２とを備える本体１４を備える。頂部表面２０及び底部表面２２は、正方形、角形、又は台形など（ただしこれらに限定されない）、任意の形状を有することができる。限定的ではなく好ましい１つの実施形態では、湾曲した壁面の構築を可能にするために、これらの表面は、前面１６の方が後面１８より広い台形形状を備える。ブロック１０は、灰色やアースカラーなど（ただしこれらに限定されない）、任意の所望の色の高密度コンクリートを形成した構造とすることができる。ブロック本体１４の前面１６は、化粧や装飾用の要素を備えることができ、滑らか、ぎざぎざ、水平溝付き、垂直溝付き、斜め溝付き、碁盤目状、浮き出し模様付き、及び／又は骨材のような見た目としてもよい。本体１４は、必要に応じて、本体の内部に空孔として定義される空洞２４を備えることができる。空洞２４により、ブロック１０の全体の体積及び重量が減少すれば、完成した壁面の見た目を損なうことなく、輸送及び設置がより容易になる。
【００１９】
ブロック１０は、さらに本体１４の頂部表面２０から底部表面２２に延伸する受け孔２６を備える。受け孔２６は、ブロック１０に孔あけして成型しても、既製のブロックに穿孔してもよい。受け孔２６は、位置決め棒１２を受け、ブロック１０を下の列のブロック１０に対して位置合わせするために配置する。ブロック１０の様々な限定的ではなく好ましい実施形態を以下でさらに詳細に述べるように、受け孔２６、及びそれに対応する位置決め棒１２は、多くの様々な形状及びサイズとすることができる。例えば、受け孔２６は、円形や角形のスロットとすることもでき、位置決め棒１２は、角形にすることもできる。また、受け孔２６は、ブロック１０が下の列のブロック１０に対してどのように配置されるかを調節するために位置決め棒１２を様々な方向で挿入できる構成とすることもできる。さらに詳細には、限定的ではなく好ましい１つの実施形態では、孔２６及びロッド１２は、ブロック１０を別のブロックの真上に配置できないように構成される。その場合には、位置決め棒１２は、両ブロックの孔２６を貫通し、一方のブロック１０を他方のブロック１０に対して位置決めする機能を発揮しない。その代わりに、この限定的ではなく好ましい実施形態では、これらのブロック１０は、一方のブロック１０の位置決め棒１２が受け孔２６を通り、その下のブロックの頂部表面２０の少なくとも一部分と接触するように、互い違いに配置される。
【００２０】
限定的ではなく好ましい１つの実施形態では、位置決め棒１２は、ブロック本体１４と一体に、かつ着脱可能に形成される。製造時に位置決め棒１２をブロック内に形成することにより、壁面の設置時にはピンを別途入手する必要がない。逆に、位置決め構造や配列がブロック１０と一体化され、ブロック１０と同時に建設現場に配達される。
【００２１】
図１Ａに例示するように、位置決め棒１２は、ブロック本体１４の後面１８から壊すことのできる延長部３０を通って延在してもよい。ロッド１２は、例えばハンマーやたがねで延長部３０を叩くなどして延長部３０を壊せば本体１４から分離できる。壊すことのできる延長部３０は、ロッド１２を本体１４から分離しやすくするために、切欠き３１や弱化部分をその一部分に含むことができる。ここで、ブロック本体１４から分離した後で、壊すことのできる延長部３０の一部分が、分離したロッド１２に付いたまま残っていてもよい。その場合には、ロッド１２の断面は、角形ではなく、実質的にＴ字型になる。分離した後のロッド１２は、ブロック１０を互いに位置合わせするために、受け孔２６に挿入できる。位置決め棒１２は、ブロック本体１４の残りの部分とともに成型されるため、残りの本体１４と同じ材料で形成される。以下でブロック１０の例示的な限定的ではなく好ましい実施形態に関連してさらに詳細に述べるように、ロッド１２は、多くの形状を備えることができる。ただし、限定的ではなく好ましい１つの実施形態では、ロッド１２は、ロッド２６がブロック本体１４から分離されるときに壊れる可能性がある複雑な湾曲部や角部のない、実質的に円柱形や角形の形状である。
【００２２】
本発明の限定的ではなく好ましい１つの実施形態によれば、位置決め棒１２は、輸送中の位置決め棒１２を保護するために、本体１４の後面１８の切り落とし部分３２の内部に配置する。さらに詳細には、切り落とし部分３２は、外側表面３４を備える。位置決め棒１２の壊すことのできる延長部３０は、限定的ではなく好ましい１つの実施形態では、外面（例えば位置決め棒１２の前面、後面、頂面、底面及び／又は側部外面など）が、横手方向か長手方向かに関わらずブロック本体１４の外面のうちの１つ又は複数と実質的に面一になるように、又はそれらより引っ込むように、外側表面３４から延伸する。特に、位置決め棒１２の少なくとも一部分の寸法は、位置決め棒１２の任意の部分がブロック本体１４が形成する平坦面を超えて延伸することを防止するように構成できる。このように、位置決め棒１２は、ブロック本体１４のこれらの外側表面を超えて延びないので、保護される。こうすれば、位置決め棒１２が適切な時期に至る前に不意の衝撃を受けたり、ブロック本体１４から外れたりする可能性は低い。
【００２３】
引き続き図１Ａに示すように、ブロック本体１４の頂部表面２０は、上の列の隣接するブロックの位置決め棒１２を受けるように構成された位置合わせ用の溝３６を備える。溝３６は、底部表面３８、前部表面４０、及び後部表面４２を備える。使用時には、上の列のブロック１０は、位置決め棒１２が溝３６の前部表面４０及び／又は後部表面４２と接触することによって両ブロック１０を互いに対して所望の方向で配置するように、据え付けが可能である。
【００２４】
引き続き図１Ａから図１Ｄに示すように、限定的ではなく好ましい１つの実施形態では、受け孔２６は、半円形部分４４とその半円形部分の直径から延伸する角形スロット４６とを備える、きのこ型の断面を備える。位置決め棒１２は、２つの細幅面４８及び２つの幅広面５０を備える角形ロッドである。使用時には、ロッド１２は、受け孔２６に挿入され、底部表面２２から延びて下の列の隣接するブロック１０の位置合わせ用の溝と接触する。ロッド１２は、上記半円形部分の直径に対応する長手方向に向けてもよいし、上記半円形部分の直径から９０°回転させた横手方向に向けて、受け孔２６の延長スロット４６の中を延伸するようにできる。ロッド１２が横手方向を向いている場合には、位置決め棒１２の細幅面４８が、下の列のブロック１０の溝３６の前部表面４０及び／又は後部表面４２と接触する。この方向では、擁壁の各列がその下の列より段形後退して傾斜した外観を生じる、傾斜又は段形後退した方向を備える擁壁が形成される。限定的ではなく好ましい１つの実施形態では、この段形後退（擁壁などの関連では、通常は「ころび」段形後退と呼ばれる）は、約７°である。例えば、高さ８インチのブロック１０を使用するときには、１インチの段形後退で、適切な「ころび」段形後退が一般的に得られ、高さ６インチのブロック１０を使用するときには、３／４インチの段形後退で、適切な「ころび」段形後退が一般的に得られる。位置決め棒１２が長手方向を向いているときには、ブロック１０を前方向に滑らせることによって、ロッド１２の幅広面５０を位置決め溝３６の前部表面４０と接触させることができる。この方向では、ブロック１０の前面１６は、その下の列のブロック１０の前面と実質的に面一になるので、実質的に垂直な壁面が形成される。このような「実質的に」又は「ほぼ」垂直な壁面は、通常は、負の段形後退が生じる可能性をなくすために、すなわち壁面が前に傾く状況になるのを回避するために、例えば約１／４インチ未満など小幅の段形後退を見込んでいる。
【００２５】
図２Ａから図２Ｄに示すように、ブロック１０の別の限定的ではなく好ましい実施形態を示しており、共通の中央領域１４７を備える長手方向スロット１４４及び横手方向スロット１４６を備える十字型の受け孔１２６を有している。前述の実施形態の場合と同様に、ブロック１０は、壊すことのできる延長部３０を介してブロック本体１４に接続された角形（又はＴ字型）の位置決め棒１２を備える。さらに、ロッド１２は、ブロック本体１４から分離する前には後面１８の切り落とし部分３２の内部に配置されている。この構成では、輸送中にブロック１０を保護するために、ロッド１２の幅広面５０は、ブロック１０の後面及び側部外面よりくぼんでいるか、又は段形後退している。受け孔１２６は、位置決め棒１２を長手方向又は横手方向のいずれかで受けるように設けられている。上述の実施形態の場合と同様に、位置決め棒１２を横手方向に挿入すれば、各ブロック列がその下のブロック列よりも段形後退した傾斜した壁面となる。位置決め棒１２を受け孔１２６に長手方向に挿入すれば、各ブロック１０の前面１６がその下のブロック列とほぼ平坦な、ほぼ垂直な壁面となるようにブロック１０が配置される。
【００２６】
図３Ａから図３Ｄに示すように、本発明のさらに別の限定的ではなく好ましい実施形態によるブロック１０は、円形の受け孔２２６を備える。ブロック１０の後面１８から延びて壊すことのできる延長部３０によってブロック１０に接続した位置決め棒１２は、角形である（上述のものと同じ）。上述の実施形態の場合と同様に、位置決め棒１２はＴ字型であってもよい。位置決め棒１２は、切り落とし部分３２の内部に配置できる。円形の受け孔２２６は、上記の実施形態で上述した長手方向及び横手方向を含む任意の方向で位置決め棒１２を受けるように構成される。ここで、ロッド１２は、長手方向と横手方向の中間のその他の方向で配置して、可変の傾斜を備える壁面を形成することもできることを断っておく。
【００２７】
図４Ａから図４Ｃに示すように、さらに別の限定的ではなく好ましい実施形態によるブロック１０は、ブロック１０の頂部表面２０に沿って長手方向に延伸する長手方向線Ｌに沿って実質的に互いに等距離に配置された４つの小さな円筒形の受け孔３２６を備える。円柱形の位置決めダイヤル３１２が、ブロック１０の後面１８に取り付けられており、ダイヤル３１２をブロック本体１４に接続する延長部３０を壊すことによってブロック１０から分離できる。位置決めダイヤル３１２を２つ以上の受け孔３２６に挿入することによって、ブロック１０は、下の列のブロック１０に対して所望の位置に保持される。また、上述の場合と同様に、位置決めダイヤル３１２の寸法は、位置決めダイヤル３１２がブロック本体１４の外部表面を超えて延びないように設定できる。
【００２８】
図５Ａ、図５Ｂ及び図１１に示すように、本発明のさらに別の限定的ではなく好ましい実施形態では、２つ以上のブロック１０が、入れ子状ユニット６０として配置される。入れ子状ユニット６０では、２つの受け孔２６と２つの位置決め棒１２を備える通常ブロック１０を、１つの受け孔２６、１つの位置決め棒１２と外面６４を備える２つ以上の反転コーナーブロック６２に取り付ける。反転コーナーブロック６２は、直角すなわち９０°のコーナーを備える壁面を構築するために使用できる。その結果得られる利点の１つは、ブロック１０及び６２を入れ子状ユニット６０として提供するときに輸送しやすいことである。詳細には、複数のブロック１０を一度に移動させることができ、輸送中にブロック１０の一部が壊れる可能性が低下する。入れ子状ユニット６２は、設置者が現場で分割することができ、ハンマーやたがねを用いて分離するなど、任意の一般的に利用される方法で分離できる。ただし、別の限定的ではなく好ましい実施形態では、入れ子状ユニット６０は、製造者によって分割される。さらに、入れ子状ユニット６０は、製造施設や現場のいずれかで、部分的に、又は完全に分離することができる。
【００２９】
さらに、１つ又は複数の分割溝６５を、入れ子状ユニット６０に設けたり、入れ子状ユニット６０と一体に形成することもでき、その箇所は、例えば入れ子状ユニット６０の外面のどこでもよい。このような分割溝６５は、分割プロセスの助けとなり、入れ子状ユニット６０が正確かつ適切に分離されることを保証する。また、別の限定的ではなく好ましい実施形態では、入れ子状ユニット６０を分割して、その結果得られるブロック１０の外面（通常は分割溝６５の面又は分割溝６５の近くの面）に粗い表面をもたらすこともできる。したがって、入れ子状ユニット６０は、「割った」ような構造の面（構造ユニットを養生及び硬化した後にこの分割プロセスによって生じるもの）を得る有効な方法を提供する。もちろん、ブロック１０や入れ子状ユニット６０（又は結果としての壁面）は、製造プロセス中に施したり形成できる１つ又は複数の装飾面や美観面を備えるように構成することもできる。例えば、入れ子状ユニット６０、ブロック１０及び／又はその結果としての壁面の外面のうちの１つ又は複数は、滑らかな面、縞模様付きの面、浮き出し模様付きの面、テクスチャ付きの面などとすることもできる。
【００３０】
本発明のさらに別の限定的ではなく好ましい実施形態では、複数のブロック１０を組み合わせ、擁壁４１０を形成する。上述の場合と同様に、個々のブロック１０の受け孔２６及び位置決め棒１２によって、ブロック１０を所望の方向で設置できる。さらに詳細には、ロッド１２をどのように孔２６に挿入するかによって、擁壁４１０は、段形後退するように構築することも、或いは実質的に垂直方向に構築することもできる。図６Ａ、図６Ｂ及び図１２Ａに示すように、位置決め棒１２を横手方向に挿入し、位置決め棒１２の細幅面４８が下の列４１２のブロックの位置合わせ用の溝３６の前部表面４０や後部表面４２と接触するようにすれば、段形後退又は傾斜した壁面４１０が形成される。図７Ａ、図７Ｂ及び図１２Ｂに示すように、位置決め棒１２を長手方向で受け孔２６に挿入すれば、ブロック１０を前方向に滑らせることができるため、ロッド１２の幅広の前面５０が下の列４１２の位置合わせ用の溝３６の前部表面４０と接触し、実質的に垂直な列４１０が形成される。
【００３１】
図８及び図１２Ｃに示すように、擁壁４１０は、湾曲面を備えるように構築することもできる（すなわち実質的に凹状又は実質的に凸状の壁面）。凸状壁面４１０は、２つのブロック１０を、両ブロックの角度の付いた側面４１４同士が面接触する関係で位置合わせされるように下の列４１２を形成するように配置することによって形成される。第３のブロック１０を、下の列４１２の上に配置し、位置決め棒１２を長手方向に挿入する。このブロック１０を前方向に滑らせ、位置決め棒１２が下の列４１２のブロック１０の溝３６の前部表面４０と接触させることによって、凸状壁面４１０を形成する。
【００３２】
図９に示すように、擁壁４１０は、凹状壁面４１０として構成することもできる。下の列４１２のブロック１０は、２つのブロック１０の前面１６が「Ｖ」字型を形成するように、凹状位置に位置する。別のブロック１０を、下の列４１２の上に配置し、位置決め棒１２を長手方向に挿入する。このブロック１０を、下の列４１２のブロックの後面１８に向かって滑らせ、位置決め棒１２の幅広面５０が下の列４１２の位置合わせ用の溝３６の後部表面４２と接触させることによって、凹状湾曲を備える壁面４１０を形成する。
【００３３】
図１０に反転コーナーを備える擁壁４１０を示しているが、このコーナーは、１つの受け孔２６と１つの位置決め棒１２を備えるコーナーブロック６２で形成される。反転コーナーブロック６２は、２つの外面６４を備える。反転コーナーブロック６２は、滑らかな前面１６を備える通常ブロック１０の隣に配置され、同じ列４１２のブロックが連続的な（すなわち実質的に平坦な）前部（すなわち外部）表面を形成する。これらの列４１２は、ほぼ垂直な壁面を形成するように配列してもよく、或いは傾斜した壁面を形成するように段形後退させてもよい。
【００３４】
本発明の具体的な実施形態について詳細に説明してきたが、当業者にとっては、本発明の全体を教示する内容に照らせば、これらの詳細の様々な修正形態及び代替形態を発展させることは容易である。すなわち、開示した具体的な構成は、例示のみを意図したものであり、添付の特許請求の範囲全体やそれに相当するものによって与えられる本発明の範囲を限定するものではない。さらに、現在最も実用的で好ましい実施形態に基づいて本発明を詳細に説明したが、これらの詳細は、説明のみを目的としたものであり、本発明は、開示した実施形態に限定されないだけではなく、添付の特許請求の範囲の趣旨及び範囲に含まれる様々な修正形態及び等価な構成をカバーするものである。例えば、本発明は、可能な範囲で、任意の実施形態の１つ又は複数の特徴を任意の他の実施形態の１つ又は複数の特徴と組み合わせることができるものである。
【図１Ａ】
2015527512.tif 000003
【図１Ｂ】
2015527512.tif 000004
【図１Ｃ】
2015527512.tif 000005
【図２Ａ】
2015527512.tif 000006
【図２Ｂ】
2015527512.tif 000007
【図２Ｃ】
2015527512.tif 000008
【図２Ｄ】
2015527512.tif 000009
【図３Ａ】
2015527512.tif 000010
【図３Ｂ】
2015527512.tif 000011
【図３Ｃ】
2015527512.tif 000012
【図３Ｄ】
2015527512.tif 000013
【図４Ａ】
2015527512.tif 000014
【図４Ｂ】
2015527512.tif 000015
【図４Ｃ】
2015527512.tif 000016
【図４Ｄ】
2015527512.tif 000017
【図４Ｅ】
2015527512.tif 000018
【図５Ａ】
2015527512.tif 000019
【図５Ｂ】
2015527512.tif 000020
【図６Ａ】
2015527512.tif 000021
【図６Ｂ】
2015527512.tif 000022
【図７Ａ】
2015527512.tif 000023
【図７Ｂ】
2015527512.tif 000024
【図８】
2015527512.tif 000025
【図９】
2015527512.tif 000026
【図１０】
2015527512.tif 000027
【図１１】
2015527512.tif 000028
【図１２Ａ】
2015527512.tif 000029
【図１２Ｂ】
2015527512.tif 000030
【図１２Ｃ】
2015527512.tif 000031
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
構造ユニットであって、
複数の外側表面を備える本体と、
当該本体の少なくとも一部分に設けられた少なくとも１つの受け止め配列と、
当該本体に接続された少なくとも１つの位置決め部材とを備え、
少なくとも１つの当該位置決め部材は当該本体から分離可能であり、少なくとも１つの当該受け止め配列と相互に作用するように構成された構造ユニット。
【請求項２】
少なくとも前記１つの受け止め配列が、
前記本体の少なくとも一部分を通って延伸する少なくとも１つの受け孔と、
当該本体の外側表面に沿って延伸する少なくとも１つの位置合わせ用の溝とを備え、
少なくとも１つの前記位置決め部材の少なくとも一部分が、少なくとも１つの当該受け孔に挿入される構成を備える、請求項１に記載の構造ユニット。
【請求項３】
前記本体及び少なくとも１つの前記位置決め部材が、同じ材料で構成される、請求項１に記載の構造ユニット。
【請求項４】
少なくとも１つの前記位置合わせ用の溝が、少なくとも１つの前記位置決め部材の一部分と相互に作用して、少なくとも２つの前期構造ユニットを互いに位置合わせするように構成される、請求項２に記載の構造ユニット。
【請求項５】
少なくとも１つの前記受け孔は長手方向スロット及び横手方向スロットが交差して形成される十字型の断面を有しており、角形の位置決め部材を当該長手方向スロット又は当該横手方向スロットのいずれか一方に通して受ける、請求項２に記載の構造ユニット。
【請求項６】
少なくとも１つの前記受け孔は円形の断面を有し、少なくとも１つの前記位置決め部材は、少なくとも１つの当該受け孔の当該円形の断面に挿入されるように構成されたが円柱である、請求項２に記載の構造ユニット。
【請求項７】
少なくとも１つの前記受け孔は半円形部分と当該半円形部分の直径から延伸するスロット部分とを含むきのこ型の断面を備える、請求項２に記載の構造ユニット。
【請求項８】
少なくとも１つの前記受け孔が、少なくとも１つの前記位置決め部材を前記半円形部分の直径と平行に挿入したときに、上の列の隣接するブロックが垂直方向に配置されてこのブロックの前面が上の列の隣接するブロックの前面と面一になり、少なくとも１つの当該位置決め部材が当該半円形部分の直径に直交するように挿入されたとき前記上の列の隣接するブロックが段形後退方向になるように構成される、請求項７に記載の構造ユニット。
【請求項９】
複数の構造ユニットが少なくとも１つの列を形成するように配置され、複数の列の構造ユニットが互いに上下に積み重ねられて壁面を形成する、請求項１に記載の構造ユニット。
【請求項１０】
第２の列の上に積み重ねられる第１の列が、当該第２の列より段形後退することにより傾斜した壁面を形成する、請求項９に記載の構造ユニット。
【請求項１１】
擁壁用ブロックであって、
複数の外側表面を備える本体と、
当該本体の少なくとも一部分に設けられた少なくとも１つの受け止め配列と、
当該本体に接続された少なくとも１つの位置決め部材とを備え、
少なくとも１つの当該位置決め部材は当該本体から分離可能であって、少なくとも１つの当該受け止め配列及び第２の擁壁用ブロックの少なくとも一部分と相互に作用して、当該擁壁用ブロックを当該第２の擁壁用ブロックに対して位置決めするように構成される、擁壁用ブロック。
【請求項１２】
前記本体及び少なくとも１つの前記位置決め部材が、同じ材料で構成される、請求項１１に記載の擁壁用ブロック。
【請求項１３】
少なくとも１つの前記受け止め配列が、
前記本体の少なくともある部分を通って延伸する少なくとも１つの受け孔と、
当該本体の外側表面に沿って延伸する少なくとも１つの位置合わせ用の溝とを備え、
少なくとも１つの前記位置決め部材が、少なくとも１つの当該位置決め部材の下側部分が当該本体の底部表面を超えて延伸するように、少なくとも１つの当該受け孔に少なくとも部分的に挿入されるように構成される、請求項１１に記載の擁壁用ブロック。
【請求項１４】
少なくとも１つの前記受け孔は長手方向スロット及び横手方向スロットが交差して形成される十字型の断面を有しており、角形の前記位置決め部材を当該長手方向スロット又は当該横手方向スロットのいずれか一方に通して受ける、請求項１３に記載の擁壁用ブロック。
【請求項１５】
少なくとも１つの前記受け孔は円形の断面を有し、少なくとも１つの前記位置決め部材は、少なくとも１つの当該受け孔の当該円形の断面に挿入されるように構成された円柱である、請求項１３に記載の擁壁用ブロック。
【請求項１６】
少なくとも１つの前記受け孔は、半円形部分と当該半円形部分の直径から延伸するスロット部分とを含むきのこ型の断面を備える、請求項１３に記載の擁壁用ブロック。
【請求項１７】
少なくとも１つの前記受け孔が、少なくとも１つの前記位置決め部材を前記半円形部分の直径と平行に挿入したときに、上の列の隣接するブロックが垂直方向に配置されてこのブロックの前面が当該上の列の隣接するブロックの前面と面一になり、少なくとも１つの当該位置決め部材が当該半円形部分の当該直径に直交するように挿入されたときに、当該上の列の隣接するブロックが段形後退方向になるように構成される、請求項１６に記載の擁壁用ブロック。
【請求項１８】
複数の擁壁用ブロックが複数の列を形成するように配置され、当該複数の列の構造ユニットが互いに上下に積み重ねられて壁面を形成する、請求項１１に記載の擁壁用ブロック。
【請求項１９】
第２の列の上に積み重ねられる第１の列が、当該第２の列より段形後退することにより傾斜した壁面を形成する、請求項１７に記載の擁壁用ブロック。
【請求項２０】
少なくとも１つの面で互いに接続された２つ以上の擁壁用ブロックからなる入れ子状ユニットであって、前記２つ以上のブロックのうちの少なくとも１つが、
複数の外側表面を備える本体と、
当該本体の少なくともある部分に設けられた少なくとも１つの受け止め配列と、
当該本体に接続された少なくとも１つの位置決め部材とを備え、
少なくとも１つの当該位置決め部材が、当該本体から分離可能であり、少なくとも１つの当該受け止め配列及び隣接するブロックの少なくとも一部分と相互に作用して、当該ブロックを当該隣接するブロックに対して位置決めするように構成される、入れ子状ユニット。
【手続補正２】
【補正対象書類名】明細書
【補正対象項目名】０００９
【補正方法】変更
【補正の内容】
【０００９】
別の限定的ではなく好ましい実施形態では、複数の構造ユニットが少なくとも１つの列を形成するように配置され、複数の列の構造ユニットが互いに上下に積み重ねられて壁面を形成する。第２の列の上に積み重ねられる第１の列が、当該第２の列より段形後退することにより傾斜した壁面を形成する。或いは、第１の列の構造ユニットの前面を、その下の第２の列の構造ユニットの前面と実質的に面一にすることにより、実質的に垂直な擁壁を形成する。
【手続補正３】
【補正対象書類名】明細書
【補正対象項目名】００１５
【補正方法】変更
【補正の内容】
【００１５】
【図１Ａ】１つの実施形態における位置決め部材を備えた構造ユニットを示す上面斜視図である。
【図１Ｂ】位置決め部材が受け孔に挿入された図１Ａの構造ユニットを示す斜視図である。
【図１Ｃ】第２の構造ユニットの上に配置され、位置決め部材が受け孔に挿入された図１Ａの構造ユニットを示す斜視図である。
【図２Ａ】別の実施形態による位置決め部材を備える構造ユニットを示す平面図である。
【図２Ｂ】図２Ａの構造ユニットを示す正面図である。
【図２Ｃ】図２Ａの構造ユニットを示す斜視図である。
【図２Ｄ】図２Ａの構造ユニットを示す側面図である。
【図３Ａ】別の実施形態による位置決め部材を備えた構造ユニットを示す平面図である。
【図３Ｂ】図３Ａの構造ユニットを示す正面図である。
【図３Ｃ】図３Ａの構造ユニットを示す斜視図である。
【図３Ｄ】図３Ａの構造ユニットを示す側面図である。
【図４Ａ】別の実施形態による位置決め部材を備えた構造ユニットを示す上面斜視図である。
【図４Ｂ】図４Ａの構造ユニットを示す斜視図である。
【図４Ｃ】図４Ａの構造ユニットを示す側面図である。
【図４Ｄ】互いに接続されて入れ子状ユニットを形成する図４Ａの２つの構造ユニットを示す平面図である。
【図４Ｅ】凸状壁面を形成するために積み重ねられた３つの図４Ａに示す構造ユニットを示す平面図である。
【図５Ａ】構造ユニットの入れ子状ユニットの別の実施形態を示す平面図である。
【図５Ｂ】構造ユニットが分割された図５Ａの入れ子状ユニットを示す平面図である。
【図６Ａ】積み重ねられて段形後退壁面を形成する３つの別の実施形態の構造ユニットを示す平面図である。
【図６Ｂ】擁壁を形成するために段形後退方向に積み重ねられた別の実施形態の構造ユニットを示す概略図である。
【図７Ａ】ほぼ垂直な壁面を形成するために積み重ねられた３つのさらに別の実施形態の構造ユニットを示す平面図である。
【図７Ｂ】ほぼ垂直な壁面を形成するために積み重ねられたさらに別の実施形態の構造ユニットを示す概略図である。
【図８】凸状壁面を形成するために積み重ねられたさらに別の実施形態の３つの構造ユニットを示す平面図である。
【図９】凹状壁面を形成するために積み重ねられた別の実施形態の３つの構造ユニットを示す平面図である。
【図１０】リターン・コーナーを形成するために積み重ねられたさらに別の実施形態の構造ユニットを示す概略図である。
【図１１】構造ユニットの入れ子状ユニットの別の実施形態を示す平面図である。
【図１２Ａ】段形後退構成で積み重ねられた３つのさらに別の実施形態の構造ユニットを示す平面図である。
【図１２Ｂ】ほぼ垂直な構成で積み重ねられた３つの図１２Ａに示すブロックを示す平面図である。
【図１２Ｃ】湾曲した壁面を形成するために積み重ねられた３つの図１２Ａに示すブロックを示す平面図である。
【手続補正４】
【補正対象書類名】明細書
【補正対象項目名】００２１
【補正方法】変更
【補正の内容】
【００２１】
図１Ａに例示するように、位置決め棒１２は、ブロック本体１４の後面１８から壊すことのできる延長部３０を通って延在してもよい。ロッド１２は、例えばハンマーやたがねで延長部３０を叩くなどして延長部３０を壊せば本体１４から分離できる。壊すことのできる延長部３０は、ロッド１２を本体１４から分離しやすくするために、切欠き３１や弱化部分をその一部分に含むことができる。ここで、ブロック本体１４から分離した後で、壊すことのできる延長部３０の一部分が、分離したロッド１２に付いたまま残っていてもよい。その場合には、ロッド１２の断面は、角形ではなく、実質的にＴ字型になる。分離した後のロッド１２は、ブロック１０を互いに位置合わせするために、受け孔２６に挿入できる。位置決め棒１２は、ブロック本体１４の残りの部分とともに成型されるため、残りの本体１４と同じ材料で形成される。以下でブロック１０の例示的な限定的ではなく好ましい実施形態に関連してさらに詳細に述べるように、ロッド１２は、多くの形状を備えることができる。ただし、限定的ではなく好ましい１つの実施形態でのロッド１２は、ロッド１２がブロック本体１４から分離されるときに壊れる可能性がある複雑な湾曲部や角部のない、実質的に円柱形や角形の形状である。
【手続補正５】
【補正対象書類名】明細書
【補正対象項目名】００２４
【補正方法】変更
【補正の内容】
【００２４】
引き続き図１Ａから図１Ｃに示すように、限定的ではなく好ましい１つの実施形態では、受け孔２６は、半円形部分４４とその半円形部分の直径から延伸する角形スロット４６とを備える、きのこ型の断面を備える。位置決め棒１２は、２つの細幅面４８及び２つの幅広面５０を備える角形ロッドである。使用時には、ロッド１２は、受け孔２６に挿入され、底部表面２２から延びて下の列の隣接するブロック１０の位置合わせ用の溝と接触する。ロッド１２は、上記半円形部分の直径に対応する長手方向に向けてもよいし、上記半円形部分の直径から９０°回転させた横手方向に向けて、受け孔２６の延長スロット４６の中を延伸するようにできる。ロッド１２が横手方向を向いている場合には、位置決め棒１２の細幅面４８が、下の列のブロック１０の溝３６の前部表面４０及び／又は後部表面４２と接触する。この方向では、擁壁の各列がその下の列より段形後退して傾斜した外観を生じる、傾斜又は段形後退した方向を備える擁壁が形成される。限定的ではなく好ましい１つの実施形態では、この段形後退（擁壁などの関連では、通常は「ころび」段形後退と呼ばれる）は、約７°である。例えば、高さ８インチのブロック１０を使用するときには、１インチの段形後退で、適切な「ころび」段形後退が一般的に得られ、高さ６インチのブロック１０を使用するときには、３／４インチの段形後退で、適切な「ころび」段形後退が一般的に得られる。位置決め棒１２が長手方向を向いているときには、ブロック１０を前方向に滑らせることによって、ロッド１２の幅広面５０を位置決め溝３６の前部表面４０と接触させることができる。この方向では、ブロック１０の前面１６は、その下の列のブロック１０の前面と実質的に面一になるので、実質的に垂直な壁面が形成される。このような「実質的に」又は「ほぼ」垂直な壁面は、通常は、負の段形後退が生じる可能性をなくすために、すなわち壁面が前に傾く状況になるのを回避するために、例えば約１／４インチ未満など小幅の段形後退を見込んでいる。
【手続補正６】
【補正対象書類名】明細書
【補正対象項目名】００２７
【補正方法】変更
【補正の内容】
【００２７】
図４Ａから図４Ｅに示すように、さらに別の限定的ではなく好ましい実施形態によるブロック１０は、ブロック１０の頂部表面２０に沿って長手方向に延伸する長手方向線Ｌ（図４Ａから４Ｂ参照）に沿って実質的に互いに等距離に配置された４つの小さな円筒形の受け孔３２６を備える。円柱形の位置決めダイヤル３１２が、ブロック１０の後面１８に取り付けられており、ダイヤル３１２をブロック本体１４に接続する延長部３０を壊すことによってブロック１０から分離できる。位置決めダイヤル３１２を２つ以上の受け孔３２６に挿入することによって、ブロック１０は、下の列のブロック１０に対して所望の位置に保持される。また、上述の場合と同様に、位置決めダイヤル３１２の寸法は、位置決めダイヤル３１２がブロック本体１４の外部表面を超えて延びないように設定できる。
【手続補正７】
【補正対象書類名】明細書
【補正対象項目名】００２８
【補正方法】変更
【補正の内容】
【００２８】
図５Ａ、図５Ｂ及び図１１に示すように、本発明のさらに別の限定的ではなく好ましい実施形態では、２つ以上のブロック１０が、入れ子状ユニット６０として配置される。入れ子状ユニット６０では、２つの受け孔２６と２つの位置決め棒１２を備える通常ブロック１０を、１つの受け孔２６、１つの位置決め棒１２と外面６４を備える２つ以上の反転コーナーブロック６２に取り付ける。反転コーナーブロック６２は、直角すなわち９０°のコーナーを備える壁面を構築するために使用できる。その結果得られる利点の１つは、ブロック１０及び６２を入れ子状ユニット６０として提供するときに輸送しやすいことである。詳細には、複数のブロック１０を一度に移動させることができ、輸送中にブロック１０の一部が壊れる可能性が低下する。入れ子状ユニット６０は、設置者が現場で分割することができ、ハンマーやたがねを用いて分離するなど、任意の一般的に利用される方法で分離できる。ただし、別の限定的ではなく好ましい実施形態では、入れ子状ユニット６０は、製造者によって分割される。さらに、入れ子状ユニット６０は、製造施設や現場のいずれかで、部分的に、又は完全に分離することができる。
【手続補正８】
【補正対象書類名】図面
【補正対象項目名】図４Ａ
【補正方法】変更
【補正の内容】
【図４Ａ】
2015527512.tif 000032
【手続補正９】
【補正対象書類名】図面
【補正対象項目名】図４Ｂ
【補正方法】変更
【補正の内容】
【図４Ｂ】
2015527512.tif 000033
【手続補正１０】
【補正対象書類名】図面
【補正対象項目名】図５Ａ
【補正方法】変更
【補正の内容】
【図５Ａ】
2015527512.tif 000034
【国際調査報告】
2015527512.tif 000035